(57)【要約】【課題】パッシブ型ＲＦＩＤタグが取り付けられた物品の搬送用収納器や搬送用車両の移動経路を制約することなく、物品の物流を安価なシステムで効率よく管理することである。【解決手段】物品１２に取り付けられたパッシブ型ＲＦＩＤタグ１１を作動させる電磁波を送信する送信部と、この電磁波で作動されて発信されるパッシブ型ＲＦＩＤタグ１１に記憶された識別データを受信する受信部とを設け、この受信部で受信される識別データを記憶部に記憶するアクティブ型ＲＦＩＤタグ１を、物品１２が収納される搬送用収納器としてのパレット１３に取り付けることにより、パレット１３に収納される物品１２の識別データを集計して、パレット１３の移動経路を制約することなく、集計した物品の識別データを活用して、物品１２の物流を安価なシステムで効率よく管理できるようにした。【選択図】図２
2007219730.tif 000002
【特許請求の範囲】
【請求項１】
内部に搭載された電池の電力を使用して作動し、記憶部に記憶される識別データをＲＦＩＤリーダに送信するアクティブ型ＲＦＩＤタグにおいて、パッシブ型ＲＦＩＤタグを作動させる電磁波を送信する送信部と、この電磁波で作動されて発信される前記パッシブ型ＲＦＩＤタグに記憶された識別データを受信する受信部とを設け、この受信部で受信される識別データを前記記憶部に記憶するようにしたことを特徴とするアクティブ型ＲＦＩＤタグ。
【請求項２】
パッシブ型ＲＦＩＤタグが取り付けられた物品を搬送用に収納する搬送用収納器において、請求項１に記載のアクティブ型ＲＦＩＤタグを取り付けたことを特徴とする搬送用収納器。
【請求項３】
請求項２に記載された搬送用収納器を用いてパッシブ型ＲＦＩＤタグが取り付けられた物品を搬送し、前記アクティブ型ＲＦＩＤタグから送信される識別データを読み取るＲＦＩＤリーダを装備した搬送用車両。
【請求項４】
請求項２に記載された搬送用収納器を用いてパッシブ型ＲＦＩＤタグが取り付けられた物品を格納し、前記アクティブ型ＲＦＩＤタグから送信される識別データを読み取るＲＦＩＤリーダを装備した倉庫。
【請求項５】
請求項３に記載された搬送用車両を用いて、パッシブ型ＲＦＩＤタグが取り付けられた物品を搬送し、前記搬送用車両に装備されたＲＦＩＤリーダを無線でネットワークに接続して、このＲＦＩＤリーダで読み取られる識別データによって、前記パッシブ型ＲＦＩＤタグが取り付けられた物品の搬送位置を管理するようにした物流管理システム。
【請求項６】
請求項４に記載された倉庫を用いて、パッシブ型ＲＦＩＤタグが取り付けられた物品を格納し、この倉庫に装備されたＲＦＩＤリーダをネットワークに接続して、このＲＦＩＤリーダで読み取られる識別データによって、前記パッシブ型ＲＦＩＤタグが取り付けられた物品の格納場所を管理するようにした物流管理システム。
【発明の詳細な説明】
【技術分野】
【０００１】
本発明は、アクティブ型ＲＦＩＤタグ、搬送用収納器、搬送用車両、倉庫および物流管理システムに関する。
【背景技術】
【０００２】
ＲＦＩＤ（radio frequency identification）タグには、内部に搭載された電池の電力を使用して作動し、記憶部に記憶された識別データをＲＦＩＤリーダに送信するアクティブ型のものと、内部に電池を搭載せず、ＲＦＩＤリーダ等から送信される電波や光波等の電磁波で作動して、記憶部に記憶された識別データをＲＦＩＤリーダに送信するパッシブ型のものとがある。
【０００３】
電池を搭載したアクティブ型ＲＦＩＤタグは、識別データを１ｋｍ以上の遠距離まで送信することができるが、高価で嵩張るので、一般的な比較的小寸法の物品には、直接またはそのケースにパッシブ型ＲＦＩＤタグが取り付けられており、ＲＦＩＤリーダに接近させて、物品の識別データを読み取っている。なお、アクティブ型ＲＦＩＤタグを用いた例としては、荷物搬送用ボックスにアクティブ型ＲＦＩＤタグを取り付け、荷物搬送用ボックスの各集配センタにおける個数の管理、廃棄管理、位置管理に利用したものがある（例えば、特許文献１参照）。
【０００４】
一方、パッシブ型ＲＦＩＤタグが直接またはケースに装着された各種物品の集荷から配送時における物品の所在管理と運搬ルートの追跡を容易に行うために、物品を搬送用収納器としてのパレットに積み込む際に、第１の無線通信装置を設置したパッシブ型ＲＦＩＤタグゲートシステムで物品に貼付されたパッシブ型ＲＦＩＤタグから識別データを読み取り、パレットに設置した第２の無線通信装置で第１の無線通信装置から送信される各物品の識別データを集計して、パレット全体の貨物情報として記憶する物流管理システムが提案されている（例えば、特許文献２参照）。
【０００５】
特許文献２に記載されたものでは、前記パレットをトラックに積み込む際、または下ろす際に、パレットがくぐるゲートシステムに設置した第３の無線通信装置で、パレットに設置した第２の無線通信装置からパレット全体の貨物情報を読み取り、トラックに設置した第４の無線通信装置で第３の無線通信装置から送信されるパレット毎の貨物情報を集計して、トラック全体の貨物情報として記憶することも提案している。さらに、トラックが配送センタを出発する際、または到着する際に、トラックがくぐるゲートシステムに設置した第５の無線通信装置で、トラックに設置した第４の無線通信装置からトラック全体の貨物情報を読み取り、配送センタのコンピュータで第５の無線通信装置から送信されるトラック全体の貨物情報を記憶して管理することも提案している。
【０００６】
【特許文献１】特開２００３−２２６４３４号公報
【特許文献２】特開２００２−１５４６１８号公報
【発明の開示】
【発明が解決しようとする課題】
【０００７】
特許文献２に記載された物流管理システムは、パッシブ型ＲＦＩＤタグが取り付けられた物品を、パレット、トラックおよびゲートシステムに設置した各無線通信装置を用いて、パッシブ型ＲＦＩＤタグが取り付けられた物品の物流を、物品が積み込まれるパレット毎やトラック毎に効率よく管理できるが、パレットやトラックをゲートシステムにくぐらせる必要があるので、パレットやトラックの移動経路が制約される問題がある。また、多数の無線通信装置を設置する必要があるので、システムの構築費用が高くなる問題もある。
【０００８】
そこで、本発明の課題は、パッシブ型ＲＦＩＤタグが取り付けられた物品の搬送用収納器や搬送用車両の移動経路を制約することなく、物品の物流を安価なシステムで効率よく管理することである。
【課題を解決するための手段】
【０００９】
上記の課題を解決するために、本発明は、内部に搭載された電池の電力を使用して作動し、記憶部に記憶される識別データをＲＦＩＤリーダに送信するアクティブ型ＲＦＩＤタグにおいて、パッシブ型ＲＦＩＤタグを作動させる電磁波を送信する送信部と、この電磁波で作動されて発信される前記パッシブ型ＲＦＩＤタグに記憶された識別データを受信する受信部とを設け、この受信部で受信される識別データを前記記憶部に記憶する構成を採用した。
【００１０】
すなわち、パッシブ型ＲＦＩＤタグを作動させる電磁波を送信する送信部と、この電磁波で作動されて発信されるパッシブ型ＲＦＩＤタグに記憶された識別データを受信する受信部とを設け、この受信部で受信される識別データを記憶部に記憶することにより、物品のパッシブ型ＲＦＩＤタグに記憶された識別データを、別途のＲＦＩＤリーダを用いることなく、アクティブ型ＲＦＩＤタグに読み取って、物品の識別データを効率よく集計して記憶できるようにした。
【００１１】
また、本発明は、パッシブ型ＲＦＩＤタグが取り付けられた物品を搬送用に収納する搬送用収納器において、上記アクティブ型ＲＦＩＤタグを取り付けることにより、収納物品のパッシブ型ＲＦＩＤタグゲートシステムを設けることなく、パレットやコンテナ等の搬送用収納器に収納される物品の識別データを集計して、搬送用収納器の移動経路を制約することなく、集計した物品の識別データを活用できるようにした。
【００１２】
さらに、本発明の搬送用車両は、上記搬送用収納器を用いてパッシブ型ＲＦＩＤタグが取り付けられた物品を搬送し、前記アクティブ型ＲＦＩＤタグから送信される識別データを読み取るＲＦＩＤリーダを装備したものとすることにより、搬送用収納器のゲートシステムを設けることなく、搬送用収納器毎に集計された物品の識別データをトラックや貨車等の搬送用車両毎にさらに集計して、搬送用車両の移動経路を制約することなく、集計した物品の識別データを活用できるようにした。
【００１３】
さらに、本発明の倉庫は、上記搬送用収納器を用いてパッシブ型ＲＦＩＤタグが取り付けられた物品を格納し、前記アクティブ型ＲＦＩＤタグから送信される識別データを読み取るＲＦＩＤリーダを装備したものとすることにより、格納物品のゲートシステムを設けることなく、搬送用収納器毎に集計された物品の識別データを倉庫毎にさらに集計して、集計した物品の識別データを活用できるようにした。
【００１４】
さらに、本発明の物流管理システムは、上記搬送用車両を用いて、パッシブ型ＲＦＩＤタグが取り付けられた物品を搬送し、前記搬送用車両に装備されたＲＦＩＤリーダを無線でネットワークに接続して、このＲＦＩＤリーダで読み取られる識別データによって、前記パッシブ型ＲＦＩＤタグが取り付けられた物品の搬送位置を管理することにより、物品の物流を安価なシステムで効率よく管理できるようにした。
【００１５】
また、本発明の物流管理システムは、上記倉庫を用いて、パッシブ型ＲＦＩＤタグが取り付けられた物品を格納し、この倉庫に装備されたＲＦＩＤリーダをネットワークに接続して、このＲＦＩＤリーダで読み取られる識別データによって、前記パッシブ型ＲＦＩＤタグが取り付けられた物品の格納場所を管理することによっても、物品の物流を安価なシステムで効率よく管理できるようにした。
【発明の効果】
【００１６】
本発明のアクティブ型ＲＦＩＤタグは、パッシブ型ＲＦＩＤタグを作動させる電磁波を送信する送信部と、この電磁波で作動されて発信されるパッシブ型ＲＦＩＤタグに記憶された識別データを受信する受信部とを設け、この受信部で受信される識別データを記憶部に記憶するようにしたので、物品のパッシブ型ＲＦＩＤタグに記憶された識別データを、別途のＲＦＩＤリーダを用いることなく、アクティブ型ＲＦＩＤタグに読み取って、物品の識別データを効率よく集計して記憶することができる。
【００１７】
本発明の搬送用収納器は、上記アクティブ型ＲＦＩＤタグを取り付けたので、収納物品のパッシブ型ＲＦＩＤタグゲートシステムを設けることなく、搬送用収納器に収納される物品の識別データを集計して、搬送用収納器の移動経路を制約することなく、集計した物品の識別データを活用することができる。
【００１８】
本発明の搬送用車両は、上記搬送用収納器を用いてパッシブ型ＲＦＩＤタグが取り付けられた物品を搬送し、前記アクティブ型ＲＦＩＤタグから送信される識別データを読み取るＲＦＩＤリーダを装備したものとしたので、搬送用収納器のゲートシステムを設けることなく、搬送用収納器毎に集計された物品の識別データを搬送用車両毎にさらに集計して、搬送用車両の移動経路を制約することなく、集計した物品の識別データを活用することができる。
【００１９】
本発明の倉庫は、上記搬送用収納器を用いてパッシブ型ＲＦＩＤタグが取り付けられた物品を格納し、前記アクティブ型ＲＦＩＤタグから送信される識別データを読み取るＲＦＩＤリーダを装備したものとしたので、格納物品のゲートシステムを設けることなく、搬送用収納器毎に集計された物品の識別データを倉庫毎にさらに集計して、集計した物品の識別データを活用することができる。
【００２０】
本発明の搬送位置管理システムは、上記搬送用車両を用いて、パッシブ型ＲＦＩＤタグが取り付けられた物品を搬送し、搬送用車両に装備されたＲＦＩＤリーダを無線でネットワークに接続して、このＲＦＩＤリーダで読み取られる識別データによって、パッシブ型ＲＦＩＤタグが取り付けられた物品の搬送位置を管理するようにしたので、物品の物流を安価なシステムで効率よく管理することができる。
【００２１】
また、本発明の搬送位置管理システムは、上記倉庫を用いて、パッシブ型ＲＦＩＤタグが取り付けられた物品を格納し、この倉庫に装備されたＲＦＩＤリーダをネットワークに接続して、このＲＦＩＤリーダで読み取られる識別データによって、パッシブ型ＲＦＩＤタグが取り付けられた物品の格納場所を管理するようにもしたので、物品の物流を安価なシステムで効率よく管理することができる。
【発明を実施するための最良の形態】
【００２２】
以下、図面に基づき、この発明の実施形態を説明する。図１は、本発明に係るアクティブ型ＲＦＩＤタグ１を示す。このアクティブ型ＲＦＩＤタグ１は、筐体（図示省略）に電池２、信号処理部３、記憶部４、送信用変復調部５、および送信部６ａと受信部６ｂとからなる読取用変復調部６が設けられ、送信用変復調部５と読取用変復調部６の送信部６ａおよび受信部６ｂとに、それぞれアンテナ７ａ、７ｂ、７ｃが接続されており、電池２は信号処理部３を作動させて、各アンテナ７ａ、７ｂ、７ｃから信号を送受信するようになっている。
【００２３】
図２に示すように、前記アクティブ型ＲＦＩＤタグ１は、パッシブ型ＲＦＩＤタグ１１が取り付けられた物品１２の搬送用収納器としてのパレット１３に取り付けられるものであり、読取用変復調部６は、送信部６ａに接続されたアンテナ７ｂから電磁波を送信してパッシブ型ＲＦＩＤタグ１１を作動させ、この作動によって発信されるパッシブ型ＲＦＩＤタグ１１に記憶された各物品１２の識別データの信号を受信部６ｂに接続されたアンテナ７ｃで受信し、受信した信号を変復調する。変復調された信号は信号処理部３で処理されて、各物品１２の識別データとして記憶部４に集計して記憶される。また、送信用変復調部５は、信号処理部３によって記憶部４から読み出される集計された各物品１２の識別データを変復調し、変復調された信号をアンテナ７ａから、後述するトラック１４や倉庫１５に装備されたＲＦＩＤリーダ１６ａ、１６ｂに送信する。
【００２４】
図３は、前記パレット１３に収納された物品１２を搬送する搬送用車両としてのトラック１４を示す。このトラック１４の荷台には、複数のパレット１３が積載され、各パレット１３に取り付けられた前記アクティブ型ＲＦＩＤタグ１から送信される信号を読み取るＲＦＩＤリーダ１６ａが装備されている。このＲＦＩＤリーダ１６ａは、後述するネットワーク１７に無線で接続されるようになっている。
【００２５】
図４は、前記パレット１３に収納された物品１２を格納する倉庫１５を示す。この倉庫１５には、前記トラック１４で搬送される多数のパレット１３が格納され、各パレット１３に取り付けられた前記アクティブ型ＲＦＩＤタグ１から送信される信号を読み取るＲＦＩＤリーダ１６ｂが装備されている。このＲＦＩＤリーダ１６ｂも、ネットワーク１７に無線で接続されるようになっている。なお、この倉庫１５に装備するＲＦＩＤリーダ１６ｂは、有線でネットワーク１７に接続してもよい。また、同一敷地内に複数の倉庫１５がある場合は、必ずしも全部の倉庫１５にＲＦＩＤリーダ１６ｂを装備する必要はなく、例えば、１つの倉庫１５のみにＲＦＩＤリーダ１６ｂを装備し、このＲＦＩＤリーダ１６ｂで全部の倉庫１５に格納されたパレット１３に取り付けられたアクティブ型ＲＦＩＤタグ１から送信される信号を読み取るようにしてもよい。
【００２６】
図５および図６に基づいて、上述したパレット１３、トラック１４および倉庫１５を用いて搬送、格納される物品１２の物流管理システムを説明する。図５に示すように、物流管理を行う管理センタ１８には、ネットワーク１７上で通信される情報を処理するコンピュータ１９が配設され、各地へ物品１２を搬送するトラック１４と各地の倉庫１５に装備されたＲＦＩＤリーダ１６ａ、１６ｂは、このネットワーク１７を介してコンピュータ１９に接続されている。
【００２７】
この物流管理システムでは、図６のフローチャートに示すように、まず、各物品１２がパレット１３に収納されると、パレット１３に取り付けられたアクティブ型ＲＦＩＤタグ１によって、各物品１２のパッシブ型ＲＦＩＤタグ１１に記憶された識別データが読み取られ、集計して記憶される。つぎに、物品１２を収納した各パレット１３がトラック１４に積載された場合は、各パレット１３のアクティブ型ＲＦＩＤタグ１に集計して記憶された物品１２の識別データが、トラック１４に装備されたＲＦＩＤリーダ１６ａによって読み取られ、ネットワーク１７を介してコンピュータ１９に送信される。また、物品１２を収納した各パレット１３が倉庫１５に格納された場合も、各パレット１３のアクティブ型ＲＦＩＤタグ１に集計して記憶された物品１２の識別データが、倉庫１５に装備されたＲＦＩＤリーダ１６ｂによって読み取られ、ネットワーク１７を介してコンピュータ１９に送信される。コンピュータ１９はこれらの送信された物品１２の識別データを処理して、各物品１２の搬送位置や格納場所についての物流を管理する。
【００２８】
前記トラック１４のＲＦＩＤリーダ１６ａによるアクティブ型ＲＦＩＤタグ１からの読み取りは、トラック１４が市内配達等の近距離搬送のものでは、５〜３０分程度の短時間間隔で行うとよい。トラック１４が長距離搬送のものでは、一日に１〜２回程度でもよい。また、倉庫１５のＲＦＩＤリーダ１６ｂによるアクティブ型ＲＦＩＤタグ１からの読み取りも、一日に１〜２回程度でよい。
【００２９】
上述した実施形態では、アクティブ型ＲＦＩＤタグの送信用変復調部と読取用変復調部の各アンテナを個別に設けたが、これらのアンテナは１つのものを共用するようにしてもよい。また、アクティブ型ＲＦＩＤタグには、温度センサ、振動センサ、および炭酸ガス、酸素ガス、エチレンガス等の濃度センサ等を取り付けることもでき、これらのセンサによって検出されたデータをトラックや倉庫のＲＦＩＤリーダで読み取って、物品の損傷や鮮度等を管理するようにしてもよい。
【図面の簡単な説明】
【００３０】
【図１】本発明に係るアクティブ型ＲＦＩＤタグの構成を示すブロック図
【図２】図１のアクティブ型ＲＦＩＤタグを取り付けた本発明に係る搬送用収納器としてのパレットを示す斜視図
【図３】図２のパレットを積載した本発明に係る搬送用車両としてのトラックを示す斜視図
【図４】図２のパレットを格納した本発明に係る倉庫を示す斜視図
【図５】本発明に係る物流管理システムを示す概念図
【図６】図５の物流管理システムの手順を示すフローチャート
【符号の説明】
【００３１】
１  アクティブ型ＲＦＩＤタグ
２  電池
３  信号処理部
４  記憶部
５  送信用変復調部
６  読取用変復調部
６ａ  送信部
６ｂ  受信部
７ａ、７ｂ、７ｃ  アンテナ
１１  パッシブ型ＲＦＩＤタグ
１２  物品
１３  パレット
１４  トラック
１５  倉庫
１６ａ、１６ｂ  ＲＦＩＤリーダ
１７  ネットワーク
１８  管理センタ
１９  コンピュータ
【図１】
2007219730.tif 000003
【図２】
2007219730.tif 000004
【図３】
2007219730.tif 000005
【図４】
2007219730.tif 000006
【図５】
2007219730.tif 000007
【図６】
2007219730.tif 000008